(57)【特許請求の範囲】
【請求項１】
空気調和機の枠体１内には、冷媒を圧縮する圧縮機２と、高温のガス状冷媒が送られるコンデンサ３と、液化した冷媒が減圧器４を介して送られるエバポレータ５とを設け、
前記エバポレータ５で気化した冷媒が前記圧縮機２に戻される冷凍サイクルを構成し、
かつ、前記コンデンサ３及び前記エバポレータ５のそれぞれに送風する温風ファン３ａと冷風ファン５ａとを設けると共に、
前記冷風ファン５ａのファンスクロール５ｂには、冷風吹出口６が接続される冷風出口５ｃと、前記温風ファン３ａ側の空気取入口７と連通する送風経路８が接続される開口８ａとを設け、
前記冷風吹出口６と前記送風経路８との間で冷風の吹出方向を変更する冷風経路切替ダンパ９を設けた空気調和機において、
前記エバポレータ５を枠体１内の高所に配置し、前記コンデンサ３をエバポレータ５の下方に配置し、
枠体１内のエバポレータ５とコンデンサ３との間にはドレンパン１０を設置すると共に、コンデンサ３より下方にはドレンタンク１１を配置し、
ドレンパン１０にはコンデンサ３の上部に連通する下部ドレン排水経路１０ａと、該下部ドレン排水経路１０ａよりも高い位置に配置してドレンタンク１１に連通する上部ドレン排水経路１０ｂとを設け、
下部ドレン排水経路１０ａと上部ドレン排水経路１０ｂとの間でドレン水の排水経路を変更する開閉弁１２を設け、
かつ、前記枠体１には前記冷風経路切替ダンパ９を駆動する操作レバー９ａと、前記開閉弁１２を開閉する開閉レバー１２ａとを隣接して配置し、前記操作レバー９ａと前記開閉レバー１２ａの間には、前記操作レバー９ａと前記開閉レバー１２ａを連動する連接部材１３を設け、
冷風の吹出方向が前記冷風吹出口６側を向く前記冷風経路切替ダンパ９の位置では、前記開閉レバー１２ａの位置が任意に変更可能であり、
冷風の吹出方向が前記送風経路８側を向く前記冷風経路切替ダンパ９の位置では、前記開閉弁１２が前記上部ドレン排水経路１０ｂ側を開口するように前記開閉レバー１２ａの位置が規制され、
前記開閉弁１２が前記下部ドレン排水経路１０ａ側を開口する位置では、前記冷風経路切替ダンパ９による冷風の吹出方向が前記冷風吹出口６側を向くように前記操作レバー９ａの位置が規制されることを特徴とする空気調和機。
【請求項２】
前記操作レバー９ａと前記開閉レバー１２ａは鉛直方向にスライド可能に操作することを特徴とする請求項１記載の空気調和機。
【発明の詳細な説明】
【技術分野】
【０００１】
この発明は冷凍サイクルを備えた一体型の空気調和機に、冷風専用機の機能と除湿専用機の機能を持たせた構造に関するものである。
【背景技術】
【０００２】
枠体内に圧縮機とコンデンサと減圧器とエバポレータとを備えて冷凍サイクルを構成し、送風ファンによってエバポレータを通過して冷却された空気を冷風吹出口から吹出し、送風ファンによってコンデンサを通過して加熱された空気を温風吹出口から吹出す構成の冷風機が知られている。
【０００３】
冷風機は冷凍サイクルとして存在している除湿機能を利用して、除湿機としても使用できるが、使用する季節によっては冷風機から吹出す冷風と温風が使用者に不快感を与えることがある。また、エバポレータを通過した冷風をコンデンサの冷却に利用する専用の除湿機に比べると除湿能力は低く、本格的な除湿機としての使用には向かないものであった。
【０００４】
このため、エバポレータを通過した冷風をコンデンサの空気取入口に送る送風経路を備え、エバポレータを通過した冷風の吹出方向を冷風吹出口と送風経路との間で任意に変更する冷風経路切替ダンパを設けた構造の冷風機の提案があり、除湿機として使用する場合には冷風の吹出方向を送風経路側に選択し、コンデンサに向かう空気流の上流側に冷風を流し込むことでコンデンサの冷却を補助して冷凍サイクルの効率を向上し、冷風機を本格的な除湿機としても利用できる構造を実現している（特許文献１参照）。
【０００５】
また、枠体内のドレンパンにコンデンサとドレンタンクにのぞむ２つのドレン排水経路を備え、下部ドレン排水経路に取付けた開閉弁の開閉によってドレン水の排水経路をコンデンサ側とドレンタンク側との間で任意に変更できる構造にした空気調和機の提案があり、ドレン水の排水経路をコンデンサ側に選択したときには、ドレン水によってコンデンサを冷却して冷凍サイクルの効率を向上すると共に、コンデンサの熱によってドレン水を蒸発させるものであり、冷凍サイクルの向上とドレン水の少量化を実現したものがある（特許文献２参照）。
【特許文献１】特願２００４−２２９３８号
【特許文献２】特願２００４−２２９３９号
【発明の開示】
【発明が解決しようとする課題】
【０００６】
上記構成において、冷風の吹出方向を変更する冷風経路切替ダンパや、ドレン水の排水経路を変更する開閉弁は、冷風能力や除湿能力といった製品の性能に大きく影響する部分であり、冷風・除湿の切替やドレン水の排水経路の切替を確実にするために冷風経路切替ダンパや開閉弁は適度な動作抵抗と確実な位置決め感が必要であるが、この適度な動作抵抗と確実な位置決め感を盛り込むと、冷風経路切替ダンパや開閉弁を操作するのに大きな力が必要となる。
【０００７】
除湿機や冷風機のような一体型の空気調和機は、任意の場所に移動して使用するものであるから、キャスターを取付けて取り扱いの便利性を向上させて気軽に移動できるようにしている。しかしながら、上記のように冷風経路切替ダンパや開閉弁を備えた空気調和機では、冷風経路切替ダンパや開閉弁の操作時に製品が移動して操作が行いにくく、また、もし安定性の悪い場所で使用しているときには、冷風経路切替ダンパや開閉弁の操作時に製品を転倒させてしまう恐れがあり、冷風経路切替ダンパや開閉弁の操作性の向上が課題であった。
【０００８】
また、冷風経路切替ダンパと開閉弁の両方を備えるものは、冷風経路切替ダンパによって除湿運転を行うときに、開閉弁によってドレン水がコンデンサ側に排水するように設定されていると、せっかく除湿したドレン水がコンデンサで蒸発してしまうため、除湿能力が低下してしまい、専用の除湿機としての機能を発揮できなくなってしまう問題がある。このため、冷風経路切替ダンパが除湿運転側に位置しているときは、ドレン水がドレンタンク側に排水されるように開閉弁を位置させる必要があり、誤使用を確実に防止するための機構が必要となる。
【課題を解決するための手段】
【０００９】
この発明は上記の課題を解決するもので、空気調和機の枠体１内には、冷媒を圧縮する圧縮機２と、高温のガス状冷媒が送られるコンデンサ３と、液化した冷媒が減圧器４を介して送られるエバポレータ５とを設け、前記エバポレータ５で気化した冷媒が前記圧縮機２に戻される冷凍サイクルを構成し、かつ、前記コンデンサ３及び前記エバポレータ５のそれぞれに送風する温風ファン３ａと冷風ファン５ａとを設けると共に、前記冷風ファン５ａのファンスクロール５ｂには、冷風吹出口６が接続される冷風出口５ｃと、前記温風ファン３ａ側の空気取入口７と連通する送風経路８が接続される開口８ａとを設け、前記冷風吹出口６と前記送風経路８との間で冷風の吹出方向を変更する冷風経路切替ダンパ９を設けた空気調和機において、前記エバポレータ５を枠体１内の高所に配置し、前記コンデンサ３をエバポレータ５の下方に配置し、枠体１内のエバポレータ５とコンデンサ３との間にはドレンパン１０を設置すると共に、コンデンサ３より下方にはドレンタンク１１を配置し、ドレンパン１０にはコンデンサ３の上部に連通する下部ドレン排水経路１０ａと、該下部ドレン排水経路１０ａよりも高い位置に配置してドレンタンク１１に連通する上部ドレン排水経路１０ｂとを設け、下部ドレン排水経路１０ａと上部ドレン排水経路１０ｂとの間でドレン水の排水経路を変更する開閉弁１２を設け、かつ、前記枠体１には前記冷風経路切替ダンパ９を駆動する操作レバー９ａと、前記開閉弁１２を開閉する開閉レバー１２ａとを隣接して配置し、前記操作レバー９ａと前記開閉レバー１２ａの間には、前記操作レバー９ａと前記開閉レバー１２ａを連動する連接部材１３を設け、冷風の吹出方向が前記冷風吹出口６側を向く前記冷風経路切替ダンパ９の位置では、前記開閉レバー１２ａの位置が任意に変更可能であり、冷風の吹出方向が前記送風経路８側を向く前記冷風経路切替ダンパ９の位置では、前記開閉弁１２が前記上部ドレン排水経路１０ｂ側を開口するように前記開閉レバー１２ａの位置が規制され、前記開閉弁１２が前記下部ドレン排水経路１０ａ側を開口する位置では、前記冷風経路切替ダンパ９による冷風の吹出方向が前記冷風吹出口６側を向くように前記操作レバー９ａの位置が規制されることを特徴とするものである。
【００１０】
また、  前記操作レバー９ａと前記開閉レバー１２ａは鉛直方向にスライド可能に操作することを特徴とするものである。
【発明の効果】
【００１３】
この発明の空気調和機は、冷風ファン５ａの風をコンデンサ３の空気取入口７側に送るための送風経路８と、冷風ファン５ａの吹出方向を冷風吹出口６と送風経路８との間で変更する冷風経路切替ダンパ９を備え、該冷風経路切替ダンパ９を操作して冷風ファン５ａの吹出方向を送風経路８側にしたときは、冷風がコンデンサ３の冷却に利用でき、本格的な冷風機としても、本格的な除湿機としても使用できるものであり、この冷風経路切替ダンパ９を駆動するための操作レバー９ａは鉛直方向にスライド可能に取付けたから、操作レバー９ａを操作時に空気調和機が移動したり転倒したりすることはなく、操作性や安全性の向上が実現できたものである。
【００１４】
また、ドレンパン１０にはエバポレータ５で発生したドレン水をコンデンサ３側に送る下部ドレン排水経路１０ａと、ドレンタンク１１側に送る上部ドレン排水経路１０ｂと、ドレン水の排水経路を下部ドレン排水経路１０ａと上部ドレン排水経路１０ｂとの間で変更する開閉弁１２を設け、該開閉弁１２によって下部ドレン水排水経路１０ａ側を選択したときはドレン水がコンデンサ３の冷却に利用でき、冷凍サイクルの向上とドレン水の少量化を実現できたものであり、この開閉弁１２の開閉レバー１２ａは鉛直方向にスライド可能に取付けたから、開閉レバー１２ａを操作時に空気調和機が移動したり転倒したりすることはなく、操作性や安全性の向上が実現できたものである。
【００１５】
また、空気調和機の枠体１内に冷風経路切替ダンパ９と開閉弁１２の両方を備えたときには、冷風経路切替ダンパ９の操作レバー９ａと開閉弁１２の開閉レバー１２ａとを隣接して配置し、操作レバー９ａと開閉レバー１２の間には互いの位置を規制する連接部材１３を設け、操作レバー９ａを除湿側に位置させたときはドレン水がドレンタンク１１側に排水されるように開閉レバー１２ａが位置し、開閉レバー１２ａを省ドレン側に位置させたときは操作レバー９ａが冷風側に位置するので、操作レバー９ａと開閉レバー１２ａの誤操作を防ぐことができるものである。
【００１６】
そして、この発明では、冷風経路切替ダンパ９を除湿側に位置させたときは、開閉弁１２が必ず下部ドレン排水経路１０ａを閉止し、開閉弁１２を省ドレン側に位置させたときは冷風経路切替ダンパ９が必ず冷風側に位置するものであり、空気調和機を冷風機として使用するときのみ省ドレン機能を選択可能としたので、空気調和機の誤使用を防止することができるものとなった。
【発明を実施するための最良の形態】
【００１７】
図に示す実施例によってこの発明を説明すると、１は空気調和機の枠体、２は枠体１内に収納された冷媒圧縮用の圧縮機、３は圧縮機２で圧縮された冷媒が高温高圧となって送られるコンデンサ、４はコンデンサ３で放熱して液化した冷媒が減圧される減圧器、５は減圧器４で減圧された冷媒が送られるエバポレータであり、冷媒はエバポレータ５に送られて気化し、冷媒の気化熱によって周囲を冷却する。その後エバポレータ５で気化した冷媒ガスは圧縮機２に戻され、再び圧縮機２で加圧された冷媒がコンデンサ３に送られて循環している。
【００１８】
３ａは室内空気を吸引して前記コンデンサ３を通過させる温風ファン、５ａは室内空気を吸引してエバポレータ５を通過させる冷風ファン、１４は温風ファン３ａと冷風ファン５ａを駆動するファンモータであり、該ファンモータ１４が回転すると温風ファン３ａと冷風ファン５ａが一緒に回転する。
【００１９】
１５は枠体１の上面に設けた温風吹出口、３ｃは温風吹出口１５に連続する温風ファン３ａの温風出口であり、温風ファン３ａによって送風される空気はコンデンサ３を通過し、この時圧縮機２から送られる高温高圧のガス状冷媒が冷却されて液化する。３ｂは温風ファン３ａの外周を覆うファンスクロールであり、コンデンサ３を通過して高温となった空気はファンスクロール３ｂによって温風出口３ｃに誘導され、温風吹出口１５から排出される。
【００２０】
６は枠体１の前面に設けた冷風吹出口、５ｃは冷風吹出口６に連続する冷風ファン５ａの冷風出口であり、減圧器４で減圧された液体の冷媒はエバポレータ５に送られて気化し、冷風ファン５ａによってエバポレータ５に送られる空気は気化熱によって冷却される。５ｂは冷風ファン５ａの外周を覆うファンスクロールであり、エバポレータ５を通過して低温となった空気はファンスクロール５ｂによって冷風出口５ｃに誘導され、冷風吹出口６から吹出す。
【００２１】
１０はエバポレータ５の下方に設けたドレンパン、１１は枠体１内の下部に設けたドレンタンク、１ａはドレンタンク１１の側方に位置するタンク取出口であり、エバポレータ５で冷却される空気に含まれる水分はエバポレータ５の表面に結露してドレン水となってドレンパン１０に滴下する。ドレンパン１０に滴下したドレン水はドレンタンク１１に溜まり、このドレンタンク１１はタンク取出口１ａを開いて枠体１内から取出して捨て水する。
【００２２】
１６は枠体１の底板に取付けたキャスターであり、冷風機や除湿機といった一体型の空気調和機は任意の場所に移動して使用するものであるから、空気調和機を移動するときには空気調和機を持ち上げなくてもキャスター１６によって気軽に移動することができ、取り扱いの便利性を向上させている。
【００２３】
図１に示す実施例において、７はコンデンサ３を通過させる空気流のための温風ファン３ａの空気取入口、８は冷風ファン５ａの風をコンデンサ３の空気取入口７に誘導する送風経路、８ａは冷風出口５ｃの下側に設けた送風経路８の開口、８ｂはコンデンサ３よりも上流側の空気取入口７に開口した送風経路８の流出口、９は冷風ファン５ａの吹出方向を冷風吹出口６側と送風経路８との間で変更する冷風経路切替ダンパであり、該冷風経路切替ダンパ９は冷風出口５ｃと送風経路８の開口８ａとの間をスライド可能に取付けられ、冷風経路切替ダンパ９が開口８ａ側に位置しているときは冷風出口５ｃが開口して冷風が冷風吹出口６に送られ、冷風経路切替ダンパ９が冷風出口５ｃ側に位置しているときは開口８ａが開口して冷風が送風経路８に送られる。
【００２４】
１ｂは枠体１の側面に形成した開口部、１７は開口部１ｂの内側に取付けたベース、９ａは冷風経路切替ダンパ９と一体に構成した操作レバーであり、該操作レバー９ａはその一部が開口部１ｂから枠体１外に露出するようにベース１７に取付けられている。９ｂは開口部１ｂから露出している操作レバー９ａに取付けた操作つまみであり、操作つまみ９ｂを操作することによって操作レバー９ａが冷風経路切替ダンパ９を駆動することができる。
【００２５】
上記構成において、空気調和機を冷風機として使用するときは、操作レバー９ａによって冷風経路切替ダンパ９を開口８ａ側に位置させると、開口８ａが閉止して冷風出口５ｃが開口するので、送風ファン５ａによってエバポレータ５を通過した冷風は冷風出口５ｃに誘導され、冷風吹出口６から室内に吹出すことができ、専用の冷風機として使用できる。
【００２６】
一方、空気調和機を除湿機として使用するときは、操作レバー９ａによって冷風経路切替ダンパ９を冷風出口５ｃ側に位置させると、冷風出口５ｃが閉止して開口８ａが開口するので、送風ファン５ａによってエバポレータ５を通過した冷風は送風経路８に誘導され、送風経路８の流出口８ｂからコンデンサ３の空気取入口７に流入し、コンデンサ３の上流で室内空気と混合してコンデンサ３に送られる。このように、コンデンサ３にエバポレータ５で冷却された低温度の空気を通過させることができるので、コンデンサ３に送られる冷媒を効率よく冷却させることができ、除湿能力の高い専用の除湿機としての運転が可能となる。
【００２７】
この構成の空気調和機は、専用の冷風機としても、専用の除湿機としても使用できるので、使用時期が限定されることはなく、使い勝手を向上することができるものであるが、冷風と除湿を変更する冷風経路切替ダンパ９は冷風能力や除湿能力といった製品の性能に大きく影響する部分であり、空気調和機の運転中や移動時の振動によって冷風経路切替ダンパ９が簡単に動かないようにする必要がある。
【００２８】
９ｃは操作レバー９ａに設けたバネ性を有する係止片、１７ａはベース１７に設けた係止部であり、冷風経路切替ダンパ９を冷風側と除湿側にそれぞれ位置させたときに操作レバー９ａの係止片９ｃが係止部１７ａと係合することで、空気調和機の運転中や移動時の振動などによって冷風経路切替ダンパ９が簡単に動かないようにしている。
【００２９】
しかしながらこの構成では、操作レバー９ａに適度な動作抵抗と確実な位置決め感が生じ、操作レバー９ａを操作するときには大きな力が必要となるものである。このため、キャスター１６を備えた空気調和機では操作レバー９ａの操作時に横方向に力が加わる構造であると、空気調和機が動いてしまうため操作が行いにくく、また、もし空気調和機を安定しない場所で使用しているときには転倒させたりする恐れがあった。
【００３０】
この発明は、操作レバー９ａを鉛直方向にスライド可能に操作する構成としたもので、図に示す実施例では、送風経路８の開口８ａが冷風出口５ｃの下方に位置し、冷風経路切替ダンパ９を冷風出口５ｃと開口８ａとの間をスライド可能に取付けたので、冷風経路切替ダンパ９の操作レバー９ａが鉛直方向にスライド可能に操作することができ、操作レバー９ａを押下げると冷風経路切替ダンパ９が下動して開口８ａが閉止され、操作レバー９ａを押上げると冷風経路切替ダンパ９が上動して冷風出口５ｃが閉止される。したがって、操作レバー９ａの操作時に横方向には力が働かないから、空気調和機が移動したり転倒したりすることはなく、操作性や安全性が向上できた。
【００３１】
また、図２に示す実施例は、エバポレータ５を枠体１内の高所に配置し、コンデンサ３をエバポレータ５の下方に配置し、ドレンパン１０をエバポレータ５とコンデンサ３の間に設置し、ドレンタンク１１をコンデンサ３よりも下方に配置したものであり、１０ａはドレンパン１０の底面からコンデンサ３の上方に伸ばした下部ドレン排水経路、１０ｂはドレンパン１０の底面からドレンタンク１１の上方に伸ばした上部ドレン排水経路であり、下部ドレン排水経路１０ａの排水口は上部ドレン排水経路１０ｂの排水口よりも低位置に開口している。
【００３２】
１２は下部ドレン排水経路１０ａに設けた開閉弁であり、該開閉弁１２を開いたときは、エバポレータ５で発生してドレンパン１０に滴下したドレン水は下部ドレン排水経路１０ａに流れ、開閉弁１２を閉じたときは、ドレンパン１０に落下したドレン水は下部ドレン排水経路１０ａには流れずにドレンパン１０に溜まり、上部ドレン排水経路１０ｂの開口位置まで水位が上昇すると、ドレン水は上部ドレン排水経路１０ｂに流れる。
【００３３】
１２ａは開閉弁１２を開閉するための開閉レバーであり、該開閉レバー１２ａはその一部が開口部１ｂから枠体１外に露出するようにベース１７に取付けられている。１２ｂは開口部１ｂから露出している開閉レバー１２ａに取付けた操作つまみであり、操作つまみ１２ｂを操作することによって開閉レバー１２ａが開閉弁１２を可動して下部ドレン排水経路１０ａを開閉することができる。
【００３４】
上記構成において、開閉レバー１２ａによって開閉弁１２を開いたときは、ドレンパン１０のドレン水が下部ドレン排水経路１０ａに流れてコンデンサ３に落下し、コンデンサ３がドレン水によって冷却されるので熱交換効率が上昇すると同時に、ドレン水をコンデンサ３の熱によって蒸発させることができ、ドレン水の少量化運転が可能となる。
【００３５】
一方、開閉レバー１２ａによって開閉弁１２を閉止したときは、ドレンパン１０のドレン水が上部ドレン排水経路１０ｂに流れて直接ドレンタンク１１に送られるので、ドレン水によるコンデンサ３の冷却とドレン水の蒸発は行われず、エバポレータ５で発生するドレン水は全てドレンタンク１１に溜まり、室内の冷房と除湿を行うことができる。
【００３６】
また、１８はコンデンサ３の下方に配置した中間タンク、１８ａは中間タンク１８に設けた中間タンク排水経路であり、中間タンク１８はドレンタンク１１よりも上方に位置し、中間タンク排水経路１８ａはドレンタンク１１の上方に伸ばしており、開閉弁１２によって下部ドレン排水経路１０ａを選択したときに、コンデンサ３で蒸発できなかったドレン水は中間タンク１８に落下し、中間タンク排水経路１８ａからドレンタンク１１に送られる。
【００３７】
このように、ドレン水の排水経路を変更することによって、冷風能力を向上した冷風運転と、冷房と除湿を同時に行う通常の運転が可能となり、使用者の希望によって機能を選択できるものである。しかしながら、ドレン水の排水経路を変更する開閉弁１２は前記した冷風経路切替ダンパ９と同様に冷風能力や除湿能力といった製品の性能に大きく影響する部分であるので、空気調和機の運転中や移動時の振動によって開閉弁１２が簡単に動かないようにする必要がある。
【００３８】
１２ｃは開閉レバー１２ａに設けたバネ性を有する係止片、１７ｂはベース１７に設けた係止部であり、ドレン水の排水経路を下部ドレン排水経路１０ａ側と上部ドレン排水経路１０ｂ側にそれぞれ位置させたときに開閉レバー１２ａの係止片１２ｃが係止部１７ｂと係合することで、空気調和機の運転中や移動時の振動などによって開閉弁１２が簡単に切替わらないようにしている。
【００３９】
しかしながらこの構成では、開閉レバー１２ａに適度な動作抵抗と確実な位置決め感が生じ、開閉レバー１２ａを操作するときには大きな力が必要となるものである。このため、キャスター１６を備えた空気調和機では開閉レバー１２ａの操作時に横方向に力が加わる構造であると、空気調和機が動いてしまうため操作が行いにくく、また、もし空気調和機を安定しない場所で使用しているときには転倒させたりする恐れがあった。
【００４０】
この発明は、開閉レバー１２ａを鉛直方向にスライド可能に操作する構成としたものであり、実施例の開閉弁１２は下部ドレン排水経路１０ａ付近のドレンパン１０に回動可能に取付けられ、開閉レバー１２ａは開閉弁１２の下部ドレン排水経路１０ａ側とは反対側の可動部の上方で鉛直方向にスライド可能に取付けられている。１２ｄは開閉レバー１２ａの下部に形成した駆動部であり、開閉レバー１２ａを押下げると駆動部１２ｄの下端が開閉弁１２の可動部を押下げ、開閉弁１２が回動して下部ドレン排水経路１０ａが開口する。また、開閉レバー１２ａを上動して駆動部１２ｄを開閉弁１２から離開させると開閉弁１２が可動し、開閉弁１２は開閉レバー１２ａで押されていない状態では下部ドレン排水経路１０ａを閉止する。このように、開閉レバー１２ａの上下動によって開閉弁１２が可動して下部ドレン排水経路１０ａを開閉することができるから、開閉レバー１２ａの操作時に空気調和機が移動したり転倒したりすることはなく、操作性や安全性が向上できた。
【００４１】
また、図３に示す実施例の空気調和機は、冷風吹出口５ｃと送風経路８との間で冷風の吹出方向を変更する冷風切替ダンパ９と、下部ドレン排水経路１０ａと上部ドレン排水経路１０ｂとの間でドレン水の排水経路を変更する開閉弁１２の両方の機構を備えたものである。
【００４２】
このように両方の機構を備えたときは、冷風経路切替ダンパ９が開口８ａ側を閉止して空気調和機を冷風機として使用する場合には、ドレン排水経路を任意に選択することができるが、冷風経路切替ダンパ９が冷風出口５ｃ側を閉止して除湿機として使用する場合には、下部ドレン排水経路１０ａ側を選択するとせっかく除湿したドレン水がコンデンサ３で蒸発して室内に戻されるため、除湿能力が低下してしまい、専用の除湿機として使用できる機構を備えているのに除湿ができなくなってしまう問題がある。冷風・除湿運転の選択時と、ドレン水の排水経路の選択時に、操作レバー９ａと開閉レバー１２ａの位置を制限して、使用者による誤操作を防ぐ必要がある。
【００４３】
この対策として、この発明では冷風経路切替ダンパ９の操作レバー９ａと開閉弁１２の開閉レバー１２ａとを隣接してベース１７に配置しており、１３は開閉レバー１２ａから操作レバー９ａに向けて形成した連接部材であり、操作レバー９ａと開閉レバー１２ａは連接部材１３によって連動する。
【００４４】
図４はこの空気調和機の使用状態における冷風経路切替ダンパ９と開閉弁１２の位置関係を示すものであり、図４（ａ）は操作レバー９ａを冷風運転側に位置させた状態で、開閉弁１２の開閉レバー１２ａを省ドレン側に位置させたものであり、図４（ｂ）は操作レバー９ａを冷風運転側に位置させた状態で、開閉弁１２の開閉レバー１２ａをドレンタンク１１側に位置させたものであり、冷風経路切替ダンパ９を冷風運転側に位置させたときはドレン排水経路を任意に選択することができる。
【００４５】
また、図４（ｃ）は冷風経路切替ダンパ９の操作レバー９ａを除湿運転側に位置させた状態を示すものであり、この場合は、操作レバー９ａを押上げると操作レバー９ａによって連接部材１３が押上げられ、開閉レバー１２ａが一緒に上動するものであり、操作レバー９ａを除湿側に位置させた状態のときは開閉レバー１２ａが必ず上側に位置するようになっており、下部ドレン排水経路１０ａを選択できないものであり、空気調和機を除湿機として使用しているときにドレン水がコンデンサ３に送られることはなくなった。
【００４６】
更に、除湿機として使用している状態から開閉レバー１２ａを押下げたときは、連接部材１３が操作レバー９ａを押下げて操作レバー９ａが一緒に下動し、図４（ａ）に示す状態となるものであり、開閉弁１２の開閉レバー１２ａによって省ドレン運転を選択したときは必ず冷風運転に切替わるので、省ドレン運転を選択したときは除湿運転を行うことができないものである。
【００４７】
このため、使用者が操作レバー９ａを操作して冷風経路切替ダンパ９が冷風出口５ｃを閉止し、除湿運転を選択したときは、開閉弁１２が下部ドレン排水経路１０ａを閉止した状態のみで使用が可能であり、また、使用者が開閉レバー１２ａを操作してドレン水の排水経路を下部ドレン排水経路１０ａ側に変更し、省ドレン運転を選択したときは、冷風経路切替ダンパ９が開口８ａを閉止した状態のみで使用が可能であるので、使用者の誤操作を確実に防ぐことができ、除湿運転を選択したときに除湿ができないという問題を発生させることはなくなった。
【図面の簡単な説明】
【００４８】
【図１】この発明の実施例を示す空気調和機の断面図である。
【図２】この発明の他の実施例を示す空気調和機の断面図である。
【図３】この発明の他の実施例を示す空気調和機の断面図である。
【図４】図３に示す空気調和機の使用状態を示す要部断面図である。
【図５】図３に示す空気調和機の平面断面図である。
【符号の説明】
【００４９】
１    枠体
２    圧縮機
３    コンデンサ
３ａ  温風ファン
４    減圧器
５    エバポレータ
５ａ  冷風ファン
５ｂ  ファンスクロール
５ｃ  冷風出口
６    冷風吹出口
７    空気取入口
８    送風経路
８ａ  開口
９    冷風経路切替ダンパ
９ａ  操作レバー
１０    ドレンパン
１０ａ  下部ドレン排水経路
１０ｂ  上部ドレン排水経路
１１    ドレンタンク
１２    開閉弁
１２ａ  開閉レバー
１３    連接部材
【図１】
0004613518.tif 000002
【図２】
0004613518.tif 000003
【図３】
0004613518.tif 000004
【図４】
0004613518.tif 000005
【図５】
0004613518.tif 000006